(57)【要約】  嫌湿性物品を保管および格納するための実質的防湿容器および蓋アセンブリが、容器および蓋が取り付けられたアセンブリを備えており、前記蓋は前記容器の上部ハウジング部分に蝶番により取り付けられ、前記容器は容器ベースと、前記ベースから上方に延びる側壁を有し、容器上面は前記側壁から内側に向かって延伸し、前記容器上面には前記容器の内部へのアクセスを可能にする開口部が設けられ、前記蓋部分は、前記容器部分の少なくとも一部分上に延伸する外側周辺部が設けられた蓋ベースを有し、前記蓋ベースには、前記ベース部分から下方に延びるスカートが設けられ、前記スカートは、前記スカートが前記容器部分と密封関係になることを可能にする、前記ベース部分上のある場所において構成され、前記蓋は、前記蓋から下方に延びる部材を含み、前記部材は、前記蓋が閉じた位置にあるときに、前記容器の前記内部側の少なくとも一部分に接するように構成され、その結果として前記蓋と前記蓋の間に実質的防湿密封性がもたらされ、前記容器アセンブリは更に、ベース部分と上部ハウジング部分を備え、前記上部ハウジング部分は、機械的締り嵌めを利用して前記ベース部分にスナップフィットすることが可能で、それにより実質的防湿密封性が形成される。
2008516864.tif 000002
【特許請求の範囲】
【請求項１】
嫌湿性物品を保管および格納するための実質的防湿容器および蓋アセンブリであって、
容器および蓋が取り付けられたアセンブリを備え、
前記蓋は、前記容器の上部ハウジング部分に蝶番により取り付けられ、
前記容器は、容器ベースと、前記ベースから上方に延びる側壁を有し、
容器上面は、前記側壁から内側に向かって延伸し、
前記容器上面には、前記容器の内部へのアクセスを可能にする開口部が設けられ、
前記蓋部分は、前記容器部分の少なくとも一部分上に延伸する外側周辺部が設けられた蓋ベースを有し、
前記蓋ベースには、前記ベース部分から下方に延びるスカートが設けられ、
前記スカートは、前記スカートが前記容器部分と密封関係になることを可能にする、前記ベース部分上のある場所において構成され、
前記蓋は、前記蓋から下方に延びる部材を含み、
前記部材は、前記蓋が閉じた位置にあるときに、前記容器の前記内部側の少なくとも一部分に接するように構成され、その結果として前記蓋と前記蓋の間に実質的防湿密封性がもたらされ、
前記容器アセンブリは更に、ベース部分と上部ハウジング部分を備え、
前記上部ハウジング部分は、機械的締り嵌めを利用して前記ベース部分にスナップフィットすることが可能で、それにより実質的防湿密封性が形成される、
ことを特徴とする容器および蓋アセンブリ。
【請求項２】
前記蓋の一部分は、前記容器センブリの開閉を容易にするタブとして機能する請求項１に記載の容器および蓋アセンブリ。
【請求項３】
前記容器ベースの前記内部の少なくとも一部分は、乾燥剤混入プラスチックにより構成されている請求項１に記載の容器および蓋アセンブリ。
【請求項４】
前記容器および蓋アセンブリは、再密封可能である請求項１に記載の容器および蓋アセンブリ。
【請求項５】
前記容器の湿気侵入量は、３日後に、水約１５００マイクログラム未満である請求項１に記載の容器および蓋アセンブリ。
【請求項６】
前記容器の前記湿気侵入量は、３日後に、水約５００マイクログラム未満である請求項１に記載の容器および蓋アセンブリ。
【請求項７】
前記容器の前記湿気侵入量は、３日後に、水約３００マイクログラム未満である請求項１に記載の容器および蓋アセンブリ。
【請求項８】
嫌湿性物品を保管および格納するための実質的防湿容器および蓋アセンブリであって、
容器および蓋が取り付けられたアセンブリを備え、
前記蓋は、前記容器の上部ハウジング部分に蝶番により取り付けられ、
前記容器は、容器ベースと、前記ベースから上方に延びる側壁を有し、
容器上面は、前記側壁から内側に向かって延伸し、
前記容器上面には、前記容器の内部へのアクセスを可能にする開口部が設けられ、
前記蓋部分は、前記容器部分の少なくとも一部分上に延伸する外側周辺部が設けられた蓋ベースを有し、
前記蓋ベースには、前記ベース部分から下方に延びるスカートが設けられ、
前記スカートは、前記スカートが前記容器部分と密封関係になることを可能にする、前記ベース部分上のある場所において構成され、
前記蓋は、前記蓋から下方に延びる部材を含み、
前記部材は、前記蓋が閉じた位置にあるときに、前記容器の前記内部側の少なくとも一部分に接するように構成され、その結果として前記蓋と前記蓋の間に実質的防湿密封性がもたらされ、
前記容器アセンブリは更に、ベース部分と上部ハウジング部分を備え、
前記上部ハウジング部分は、エラストマシールを利用して前記ベース部分にスナップフィットすることが可能で、それにより実質的防湿密封性が形成される、
ことを特徴とする容器および蓋アセンブリ。
【請求項９】
前記容器ベースの前記内部の少なくとも一部分は、乾燥剤混入プラスチックにより構成されている請求項８に記載の容器および蓋アセンブリ。
【請求項１０】
前記容器の前記湿気侵入量は、３日後に、水約１５００マイクログラム未満である請求項８に記載の容器および蓋アセンブリ。
【請求項１１】
前記容器の前記湿気侵入量は、３日後に、水約５００マイクログラム未満である請求項８に記載の容器および蓋アセンブリ。
【請求項１２】
嫌湿性物品を保管および格納するための実質的防湿容器および蓋アセンブリであって、
容器および蓋が取り付けられたアセンブリを備え、
前記蓋は、前記容器の上部ハウジング部分に蝶番により取り付けられ、
前記容器は、容器ベースと、前記ベースから上方に延びる側壁を有し、
容器上面は、前記側壁から内側に向かって延伸し、
前記容器上面には、前記容器の内部へのアクセスを可能にする開口部が設けられ、
前記蓋部分は、前記容器部分の少なくとも一部分上に延伸する外側周辺部が設けられた蓋ベースを有し、
前記蓋ベースには、前記ベース部分から下方に延びるスカートが設けられ、
前記スカートは、前記スカートが前記容器部分と密封関係になることを可能にする、前記ベース部分上のある場所において構成され、
前記蓋は、前記蓋から下方に延びる部材を含み、
前記部材は、前記蓋が閉じた位置にあるときに、前記容器の前記内部側の少なくとも一部分に接するように構成され、その結果として前記蓋と前記蓋の間に実質的防湿密封性がもたらされ、
前記容器アセンブリは更に、ベース部分と、上部ハウジング部分と、バリアフィルムとを備え、前記上部ハウジング部分は、前記上部部分の底面上に設置された前記バリアフィルムにより、前記ベース部分にスナップフィットすることが可能で、それにより実質的防湿密封性が形成される、
ことを特徴とする容器および蓋アセンブリ。
【請求項１３】
前記容器ベースの前記内部の少なくとも一部分は、乾燥剤混入プラスチックにより構成されている請求項１２に記載の容器および蓋アセンブリ。
【請求項１４】
前記容器の前記湿気侵入量は、３日後に、水約１５００マイクログラム未満である請求項１２に記載の容器および蓋アセンブリ。
【請求項１５】
前記容器の前記湿気侵入量は、３日後に、水約５００マイクログラム未満である請求項１２に記載の容器および蓋アセンブリ。
【発明の詳細な説明】
【技術分野】
【０００１】
本発明は、それに限定されるわけではないが、食用ブレスフレッシュニング（呼気新鮮化）細片、薬物送達細片、診断用テスト細片、および発泡性錠剤を含む、嫌湿性アイテム（物品）の保管および格納用の再密封可能容器とキャップアセンブリに関する。
【背景技術】
【０００２】
本発明は、それに限定されるわけではないが、食用ブレスフレッシュニング（呼気新鮮化）細片、薬物送達細片、診断用テスト細片、および発泡性錠剤を含む、嫌湿性アイテム（物品）の保管および格納用の再密封可能容器とキャップアセンブリに関する。
【発明の開示】
【０００３】
容器は、密封されたときは、蓋を介して湿気が容器内に侵入することを実質的に防止する。つまり、容器は実質的に防湿性を有する。本発明の別の形態においては、容器センブリは、乾燥剤または類似の物質が設けられ、容器が密封されたときは、容器内に存在する湿気を削減する。つまり、容器が密封された後は、乾燥剤は、その中に存在する湿気を吸収する。同様に、容器が開けられ、その後、再び密封されると、容器が開いていた間に中に侵入した湿気を乾燥剤が吸収する。
【０００４】
本発明の１つの実施の形態において、アセンブリは、蝶番で接合されても良い、キャップと容器を備える。蝶番は凹部を有する。凹部は２つの要素を形成する。第１要素は、キャップ部に取り付けられ、第２要素は容器部に取り付けられる。更に別の実施の形態において、凹部は容器センブリの開閉時に、曲がり点として機能する。
【０００５】
容器は、容器上面から下方に延びる側壁を有する。容器底面は側壁に接合される。容器上面には開口部が設けられ、容器内部へのアクセスを可能にしている。開口部は容器上面から上方に延びるリップ（縁部）により仕切られている。リムは、リップの上端の外側に設置される。
【０００６】
アセンブリのキャップ部分は、蝶番により容器部分に取り付けられる。キャップ部は、容器部分上に延伸する外側周辺部が設けられたベース部分を有する。１つの実施の形態において、ベース部分の一部分は、容器センブリの開閉を容易にするタブとして機能する。別の実施の形態において、ベース部分には、ベース部分の中央部分から下方に延びるスカートが設けられている。スカートは、スカートが容器部分のリップと閉じる関係になることを可能にする、ベース部分上のある場所に設置されており、そこではベース部分のスカートは、容器上面上に設けられたリップの周辺部上に収まっている（または、場合によっては、スカートはリップの周辺部内に収まる）。ベース部分のスカートは、スカートがキャップ部分に接合する部分に対して末端（又は、遠位）の末端部を有する。スカートの末端部において、スカートには、内側に向かう延伸部が設けられ、延伸部はスカートの内側周辺部の周りに延伸している。同様に、容器部分のリップには、リップが容器部分に接合する位置に対しての末端部が設けられており、リップの末端部には、外側を向いている延伸部が設けられており、延伸部は、リップの周辺部の周りに延伸している。実際は、スカート上の延伸部とリップ上の延伸部はお互いに向き合っている。スカートとリップ上にこの配置を構築する際に、延伸部は、キャップが容器部分上で閉じられるときにお互いに接して噛み合わさる。この配置において、お互いに噛み合わさり、接している延伸部は、少なくともお互いに実質的な防湿密封配置を形成する。
【０００７】
更に別の実施の形態において、リップシール部材は下方に延び、キャップ部分の周りに延伸している。リップシール部材は、スカートに対して内部に設置され、またベース部分から下方に延びている。更に、リップシール部材は、容器部分から上方に延伸しているリップに対して内部になるように設置される。キャップが閉じた位置にあるとき、リップシール部材は、リップの末端部の内部側に接する。この配置において、リップシールは、スカートとリップ間の位置に加えて、ひとつの密封位置を提供し（１）、内側から外側に向けてリップ上に圧力を加え、その結果、スカート上に圧力が加えられ、それによりスカートとリップ間の密封性が高められる（２）。
【０００８】
更に別の実施の形態において、キャップおよび／または容器は、ディスク（例えば、パック）、スリーブの形状、または他の所望の形状の乾燥剤を含む。
【０００９】
更に別の実施の形態において、アセンブリは、アセンブリの選択された領域にあてがわれたエラストマのライナを含む。例えば、エラストマのライナは、スカートと、リップシールが設けられる場所の間の、キャップの内部表面上に設置でき、これはまたリップシールもライナで裏打ちする。
【００１０】
更に別の実施の形態において、ベース部分から下方に延びているスカートは、内側に向かう延伸部が設けられた末端部を有する。リップは、凹部が設置されている容器上面にリップが接合する場所に対して末端の末端部を有する。凹部は、キャップ部分が容器部分上で閉じられるときに、延伸部を受け入れるように適合されている。
【００１１】
１つの実施の形態において、本発明の容器は、相対的に小さな高さ寸法を有しており、それにより容器が、ハンドバッグ、財布、またはポケットに収まるようによく形成されている。この小さな高さ寸法にも拘わらず、容器は、キャンディのようなアイテム（物品）や、食用ブレスフレッシュニング（呼気新鮮化）細片、および、血糖値を調べるときに使用される診断用テスト細片を保管するのに適している。
【００１２】
更に別の実施の形態において、容器の開口部はその形状が不規則であり、均一の半径を有していない。つまり、開口部は円形ではない。
【００１３】
更に別の実施の形態において、本発明の容器は、上部部分と下部部分を有している。上部および下部部分は密封されて、防湿密封性を形成する。１つの実施例において、容器が所望の嫌湿性アイテム（物品）で満たされた後、下部部分はバリアフィルムで密封される。別の実施例においては、容器が所望の嫌湿性アイテム（物品）で満たされた後、下部部分は、スナップフィット機構を採用することにより、上部部分に密封される。更なる実施例において、容器が嫌湿性アイテム（物品）で満たされた後、下部部分は、エラストマおよび／またはガスケット機構を採用することにより、上部部分に密封される。更なる別の実施例において、容器が嫌湿性アイテム（物品）で満たされた後、下部部分は、超音波溶接により上部部分に密封される。
【発明を実施するための最良の形態】
【００１４】
それに限定されるわけではないが、食用ブレスフレッシュニング（呼気新鮮化）細片、薬物送達細片、診断用テスト細片、および発泡性錠剤を含む、嫌湿性アイテム（物品）の保管および格納用の容器およびキャップアセンブリは、容器とキャップが密封されているときは、蓋を介しての、湿気の容器内への侵入を実質的に防止する。
【００１５】
アセンブリ１０には、一般的に、蝶番１６により取り付けられるキャップ部分１２と容器部分１４が設けられている。蝶番１６は凹部１６’を有している。凹部１６’は２つの要素を形成し、第１要素はキャップ部分に取り付けられ、第２要素は容器部分に取り付けられている。更なる実施の形態において、凹部は容器センブリの開閉時に曲がり点として機能する。
【００１６】
容器部分は容器ベース１３を有し、側壁１１は、ベース１３から上方に延びている。容器上面１７は、側壁から内側に向かって延伸している。容器上面１７には、開口部２０が設けられ、容器の内部へのアクセスが可能となる。開口部２０は、容器上面１７から上方に延伸するリップ２２により仕切られている。リップ２２は、開口部２０の周辺部の周りに延伸している。リップ（縁部）２２は、リップが容器上面と接合する位置、つまり、延伸部２３が開口部２０に対して外側を向いて設置される位置に対して末端（又は、遠位）の末端部２１を有している。延伸部２３は、リップ末端部２１の周辺部の周りに延伸している。
【００１７】
キャップ部分１２は、容器部分の少なくとも一部分上に延伸する外側周辺部２５が設けられたベース部分２４を有している。１つの実施の形態において、ベース部分２４の一部分は、容器センブリの開閉を容易にするタブ１３として機能する。ベース部分２４には、ベース部分から下方に延びるスカート２６が設けられている。スカート２６は、容器上面上に設けられたリップ２２の周辺部上に収まり（または、場合によっては、スカートはリップの周辺部内に収まる）、容器部分１４のリップ２２と閉じた関係になることを可能にする、ベース部分２４上のある位置に設置される。ベース部分２４のスカート２６は、スカートがキャップ部分と接合する端部に対して末端（又は遠位）の末端部２７を有している。スカートの末端部２７において、スカートには、内部に向かう延伸部２８が設けられ、延伸部２８はスカートの内側周辺部の周りに延伸している。スカートの末端部２７において、スカートには、内部に面している延伸部２８が設けられ、延伸部２８は、スカート末端部２７の周辺部の周りで延伸している。キャップ部分が容器部分上で閉じられると、スカート２６上の延伸部２８と、リップ２２上の延伸部２３が対向する。更に、キャップ部分が容器部分上で閉じられると、延伸部はお互いに接して噛み合わさる。この配置において、お互いに噛み合わさり、接している延伸部は、お互いに防湿密封性を形成する。
【００１８】
更に別の実施の形態において、リップシール部材３０は、下方に延び、キャップ部分１２の内部の周りに延伸する。リップシール部材３０は、スカート２６に対して内部に設置され、これもまたベース部分２４から下方に延びている。更に、リップシール部材３０は、容器部分１４から上方に延伸するリップ２２の内部側になるように設置され、キャップが閉じた位置になったときに、リップ２２の末端部の内部側に接する。図３に示すように、この配置において、リップシールは、スカートとリップの間の密封位置に加えて、１つの密封位置を提供し（１）、内側から外側に向けてリップ上に圧力を加え、その結果、スカート上に圧力が加えられ、それによりスカートとリップ間の密封性が高められる（２）。図４は、くり抜かれた部材として存在する構成要素３０’を示している。
【００１９】
図１０と図１１に示される更に別の実施の形態において、リップ２２’の構造は、延伸部２８’が設けられた末端部２７’を有する。スカート２６’は、スカートがベース部分２４’から延びている場所の近くに設置された凹部２３’を有する。凹部２３’は、キャップ部分が容器部分上で閉じられたときに延伸部２８’を受け入れるように形成されている。キャップ部分が容器部分上で閉じられると、リップとスカートの間の接している配置と、凹部内の延伸部の存在により、実質的に防湿密封性が形成される。図１１は、そのような配置の構成を示している。
【００２０】
更に別の実施の形態において、キャップおよび／または容器は、ディスク（例えば、パック（平円盤状体））、スリーブの形状、あるいは他の形状の乾燥剤を含む。１つの実施の形態において、容器の底部に設置された乾燥剤混入プラスチックスリーブ３４のような、キャップおよび／または容器の少なくとも一部分を覆う乾燥剤ライナ内に、乾燥剤混入プラスチックが設置されている。図２を見ると、スリーブ３４が、アイテム（物品）の側面のうち３側面で容器内に保管されたアイテム（物品）を取り囲んでいるのが示されている。１つの実施の形態において、そのようなスリーブまたはライナは、保管されたアイテム（物品）の２側面以下または４側面以上において取り囲むことができる。例えば図７を見ると、乾燥剤挿入物は容器ベース上に設置されている。容器センブリが繰り返し開閉されるとき、図２のスリーブのような乾燥剤がアセンブリに含まれていれば、乾燥剤混入プラスチックは短時間（例えば、約１分未満の短時間）のうちに、容器センブリ内の低相対湿度環境を再確立する。
【００２１】
乾燥剤混入プラスチックは、シリカゲルまたは分子ふるいのような乾燥剤を乾燥剤として含む。エンドユーザーによって意図されるような適用によっては、分子ふるいまたはシリカゲル乾燥剤をスリーブに設けることができる。例えば、分子ふるいは、低相対湿度（例えば、相対湿度１０％未満）を、貯蔵寿命の間維持することが要求される適用に対して使用できる。別の実施例では、シリカゲルは２年の貯蔵寿命の間、１０−３０％の相対湿度を維持できる。
【００２２】
適切な乾燥剤混入プラスチックには、それに限定されるわけではないが、米国特許第５，９１１，９３７号、第６，２１４，２５５号、第６，１３０，２６３号、第６，０８０，３５０号、第６，１７４，９５２号、６，１２４，００６号および６，２２１，４４６号に開示されている乾燥剤プラスチックが含まれる。これらの参考文献は、本明細書に参考文献として組み込まれている。プラスチック調合において、乾燥剤投入量およびチャネリング（指向）剤を変更することにより、乾燥剤混入プラスチックの全体の湿気容量と吸収率を制御できる。容器が乾燥剤物質を含む実施の形態においては、容器はツーショット成形（二種類材料同時成形）技術により形成される。
【００２３】
更に別の実施の形態において、アセンブリは、アセンブリの選択された領域に適用されたエラストマのライナ３６を含む。例えば、エラストマのライナは、スカート内部で、キャップ部分の内部表面に設置できる。リップシールが設けられた場所では、ライナはそれらもライナで裏打ちする。１つの実施例において、適切なエラストマはＥＰＤＭであり、Ｓａｎｔｏｐｒｅｎｅという商標名で市場で入手できる。
【００２４】
本発明の容器は、射出成形または他の適切な成形技術により、プラスチック材から形成される。例えば、容器はポリプロピレンから成形される。１つの実施の形態において、容器は、単一の閉じたユニットとして形成でき、蝶番によりキャップ部分を容器部分に取り付ける。または、部品をそれぞれ別に成形することができ、容器部分には、容器内に保持するアイテム（物品）を格納して、容器とキャップ部分をスナップフィットで接合し、および／または溶接して防湿性を提供できる。更に別の実施の形態において、キャップと容器部分は別々の部品として形成でき、所望のアイテム（物品）を格納し、容器とキャップを接合して、部品は、例えば溶接（例えば、音波溶接または熱溶接）により接合できる。更に別の実施の形態においては、キャップと容器は単一部品（例えば、蝶番で接合される）で形成でき、かつ二枚貝のような機構で開くことができる。アセンブリは、内容物を詰め込み、閉じて、そして、例えば溶接して接合し、上記のように密封性を形成できる。
【００２５】
２部品アセンブリを示す実施の形態が、図６から図９と、図１２に示されている。この実施の形態において、アセンブリ１００には、カバー構成要素１０２とトレイ構成要素１２０が設けられている。カバー構成要素１０２は、蝶番１０６によって上部構成要素１０８に接合されるキャップ部分１０４を有している。図示されているように、キャップ部分１０４は、キャップベース９２の周辺部に設置された側壁９０を有している。蝶番１０６は、側壁９０の１つに接合される。側壁の空間内において、キャップベース９２の下側は凹部９３を有しており、その中に、キャップベース９２から延びているリップ２２”が設置されている。図７に示されるように、リップ２２”は、キャップベース９２の一部分の周りをループ状に延伸しており、キャップ部分が開口部１１２上で閉じられたときに、上部構成要素１０８の開口部１１２に収納されるように設置されている。リップ２２”には、リップ２２”がキャップベース９２に接合される場所に対して末端の端部２３”が設けられている。図７Ａから最もよく分かるように、リップ２２”の末端部２３”は、先細りエッジ２５”を有しており、キャップ部分１０４のリップ２２”が、上部構成要素１０８の開口部１１２上で閉じられたときに、エッジ１３０の表面１３２に対して実質的に同じ高さになるように適合されている。このように、キャップ部分１０４が、上部構成要素１０８の開口部１１２上で閉じられると、リップ２２”の先細りエッジ２５”は、カバー構成要素１０２の上面１０９における開口部１１２を取り囲む柔軟エッジ１３０に対して実質的に同じ高さになる。
【００２６】
蝶番の反対側にあるキャップ部分１０４の端部において、キャップベース９２から延びているキャップラッチ構成要素１０５が設置されている。１つの実施の形態において、フック１０７がキャップラッチ１０５上に設けられる。別の実施の形態において、キャップ部分が開口部１１２上で閉じられるとき、キャップ部分を開き易くするタブ１１６がキャップ部分上に設けられている。
【００２７】
上部構成要素１０８は、側壁１１０と傾斜壁１１５がそこから下方に延びる上壁１０９を有している。開口部１１２は、上壁１０９内に設けられる。フックに関連する実施の形態において、キャップ部分１０４上でフック１０７と噛み合い、それを補完するように構成されたフックが上部構成要素１０８の１つの端部に設置されている。フックが設置された場所と反対側の端部において、蝶番１０６は、上部構成要素１０８に接合される。上部構成要素は、蝶番１０６のための、上壁１０９の隆起部分１０９’の間に設置された凹部１１１を有してもよい。
【００２８】
トレイ構成要素１２０には、トレイ１２２のベースから上方に向かって延びる側壁１２４と傾斜壁１２６が設けられている。傾斜壁１２６は、その形状が、上部構成要素１０８の傾斜壁１１５に対して補完的となっている。側壁は、アイテム（物品）を保管できるキャビティ（空洞）１２８を画定する。
【００２９】
図７において最もよく分かるように、上壁１０９に設けられた開口部１１２のエッジ１３０は、開口部１１２の中に向けて下方に傾斜する柔軟性プラスチック材料から形成されている。エッジは開口部１１２の周辺部の周りに延伸している。
【００３０】
再び図７Ａから分かるように、リップ２２”の末端部２３”は、先細りエッジ２５”を有し、エッジ２５”は、キャップ部分１０４のリップ２２”が、上部構成要素１０８の開口部１１２上で閉じられるときに、エッジ１３０の表面１３２に対して同じ高さになるように形成されている。このように、キャップ部分１０４が、上部構成要素１０８の開口部１１２上で閉じられると、リップ２２”の先細りエッジ２５”は、上部構成要素１０８の上面１０９において開口部１１２を取り囲む柔軟エッジ１３０に対して同じ高さになり、これにより、開口部を実質的な湿気の侵入を防ぐように密封する。
【００３１】
閉じた位置（図７）において、キャップ部分１０４上と上部構成要素１０８上それぞれ設けられたフック１０７、１１４は、お互いに係合して上部構成要素１０８上で閉じられたキャップ部分１０４を保持する。
【００３２】
カバー構成要素１０２は、容器センブリを形成するために、トレイ構成要素１２０上に収まるように形成されている。このカバー構成要素とトレイ構成要素は、開口部を通して入れられたアイテム（物品）を格納でき、そして、上述したようにお互いに接合される。
【００３３】
図７から分かるように、積み重ねられたアイテム（物品）は容器内に置かれる。開口部１１２は、人がその指の少なくとも一部分を中に挿入できるようにサイズ調整されている。図８に示されるように、人は人差し指の一部分を穴の内部に滑らせて、開口部を通して、アイテム（物品）をキャビティ１２８（図７）の傾斜壁を上方に滑らせることができる。
【００３４】
乾燥剤スリーブのような乾燥剤材料を、容器内に置くことができる。図７に示されるように、スリーブ３４’は、トレイ構成要素のベース１２２に沿って設置してもよく、または、他のいずれかの場所で、アイテム（物品）が保管されるアセンブリの内部に沿って設置してもよい。
【００３５】
図９は、閉じた位置におけるアセンブリを示している。アセンブリは相対的に小型であり、望ましくないほどのスペースを占有することもなく、財布、ハンドバッグ、またはポケットに収まることは容易に理解されよう。
【００３６】
図１２Ａ−図１２Ｎは、容器センブリの別の実施の形態における種々の図を示している。この実施の形態の特徴は、ここで述べるいくつかの違いを除き、図６−図９で記述された実施の形態の特徴と類似している。開口部の形状は非対称である。また、カバー構成要素１０２は、２つの蝶番機構を有している。蝶番１０６は上述した通りである。蝶番２０６は、第１および第２キャップ部分１０４Ａと１０４Ｂを接合する。キャップ部分のリップは構成要素１０４Ｂ上に設置されている。キャップ部分１０４Ｂには、そこから下方に延びるタブ２０８が設けられている。タブ２０８は、上壁１０９上に設置された凹部２１０に収納されるようにサイズ調整されて設置されており、キャップ部分１０４Ｂが上壁１０９上で閉じられるときに、その中に収納される。１つの実施の形態において、キャップ部分１０４Ｂは、ここで記述されるようにいったん閉じられると、二度と開けられないこともある。キャップ部分１０４Ａは蝶番２０６において開閉される。
【００３７】
図１３Ａ−図１３Ｅは、容器センブリの更に別の実施の形態における種々の図を示している。この実施の形態の特徴は、図１−図５と図６−図９で記述された実施の形態の特徴と類似している。図示されているように、開口部の形状は非対称である。また、キャップ構成要素は、１つの蝶番機構を有している。蝶番は蓋をキャップの一部分に接合する。使用中は、キャップ部分は蝶番において蓋と共に開閉される。アセンブリを構築する１つの実施例において、容器ベースは、２つの材料で作られている。つまり、ベースの内部の少なくとも一部分は、乾燥剤混入プラスチックにより構成され、ベースの残りの部分は、実質的に水が浸入できないプラスチック（例えば、ポリプロピレン、ポリエチレン）から構成される。蓋はキャップ部分に溶接される（例えば、超音波溶接）。容器が所望の材料で充填された後は、キャップが容器に接合される（例えば、超音波溶接）。その結果が防湿容器である。
【００３８】
１つの実施例において、フィルム片は、約２２ｍｍの幅で約６４ｍｍの長さである。別の実施例においては、容器は約２５枚のフィルム片を保持する。
【００３９】
本発明の実施の形態の少なくともいくつかまたはすべては、例えば、米国特許再発行第３７，６７６号（米国特許第５，７２３，０８５号の再発行）、第４，８１２，１１６号、および第４，７８３，０５６号に開示されている技術に従って形成でき、これらの特許はすべて本明細書に参考文献として組み込まれている。
【００４０】
更に別の実施の形態において、容器は、１回の形成操作により成形される２射出成形（二種類材料同時成形）構成要素で構成される。１つの構成要素は上部ハウジングであり、第２構成要素はフリップトップ（押し上げ式ふた型）クロージャ（閉鎖部）である。上部ハウジングは上面の一方に沿う開口部を有している。この開口部により、ユーザーは容器からフィルム片を取り出せる。１つの実施例において、上部ハウジングとフリップトップクロージャは、１回の成形操作により製造される。特別な実施例において、フリップトップクロージャは、金型において上部ハウジングの開口部上において閉じられる。更に別の特別な実施例において、フリップフロップクロージャの蝶番部分は、超音波溶接を利用して上部ハウジングに取り付けられる。このプロセスは成形後に行われる。
【００４１】
別の実施の形態において、上部ハウジング内の開口部の下には隆起輪郭部があり、ユーザーにより個々のフィルム細片を容器から外に取り出すために使用される。この輪郭部はフィルム分配ガイド領域と称せられる。特別な実施の形態においては、上部ハウジングに空間があり、乾燥剤混入プラスチックにより作られた部品を取り付ける。例えば、乾燥剤混入プラスチックは別の成形操作で成形され、上部ハウジングに組み付けられる。
【００４２】
図１４−図１６により例示されているような別の実施の形態において、本発明の容器は、上部および下部部分を有する。上部および下部部分は密封されて防湿密封性を形成する。１つの実施例において、容器の下部部分は、バリアフィルム（例えば、ＰＶｄＣ、Ａｃｌａｒ、Ｓｕｒｌｙｎ、環式オレフィン（ＣＯＣｓ））により密封できる周囲を有している。本発明の使用法の特別な実施例において、フリップトップクロージャが取り付けられた上部部分（例えば、キャップと蝶番により接合された容器）が嫌湿性アイテム（物品）の製造業者に供給される。上部部分は、逆の位置でフィルム充填ライン上に設置される。フィルムの１つの実施例においては、フィルムは切断され、積み重ねられ、上部部分内に設置される。続いて、容器を充填した後に、バリアフィルムシールが上部部分の底面上に設置される。実質的な防湿バリアとして機能すると共に、バリアフィルムは、容器のベースとしても機能する。
【００４３】
１つの実施例において、バリアフィルムは、誘導密封、熱密封、または他の従来のプロセスを利用して上部部分の周囲に取り付けられる。誘導密封プロセスを利用するときは、バリアフィルムが導体層（例えばアルミニウム）を含むことが重要である。いくつかの理由のうち、容器に必要な湿気保護のレベルおよび／または剛性に基づいてバリアフィルムを選択できることは理解される。特別な実施例において、乾燥剤混入プラスチックを、熱ステーキング（かしめ）プロセスを利用してバリアフィルムの密封層に取り付けてもよい。
【００４４】
更なる実施の形態において、図１７と図１８により例示されるように、容器の上部および下部部分の間で防湿スナップフィット（留め金式嵌合）が生成される。１つの実施例において、密封性は、容器の上部および下部部分を一緒に保持するスナップフィットによる機械的締り嵌めにより達成される。このように、製品充填の後は、別の密封ステーションまたは特別な密封機器は必要でない。１つの実施例において、容器は実質的に楕円形であり、丸い隅により防湿スナップフィットが支持される。１つの特別な実施例において、下部部分は乾燥剤混入プラスチック（例えば、ツーショット成形（二種類材料同時成形）プロセスを介して）組み込むことができる。
【００４５】
本発明の使用法の特別な実施例において、フィルム製品の製造業者に、フリップトップクロージャが取り付けられた上部部分が供給される。プラスチック（例えばＰＥまたはＰＰ）から作られた下部部分構成要素もまた、フィルム製品の製造業者に供給される。１つの特別な実施例において、下部部分はツーショット成形（二種類材料同時成形）部品として作られ、内部に乾燥剤混入プラスチックを含む。下部部分は充填ステーションのアセンブリライン上に設置される。１つの実施例において、フィルムは切断され、積み重ねられ、下部部分上に設置される。充填後、上部部分は充填された下部部分上に設置されて揃えられる。続いて、上部部分が下部部分にパチンと（留め金的に）嵌められ、このようにして防湿容器が製作される。
【００４６】
更なる実施の形態において、図１９により例示されるように、エラストマシールが上部および下部部分の間に組み込まれて防湿密封性が形成される。１つの実施例において、容器は実質的に楕円形であり、丸い隅により、防湿エラストマシールが支持される。別の実施例において、下部部分のエラストマシールは、上部部分と接合し、上方部分とのスナップフィットが形成される。このように、製品充填後は、別の密封ステーションまたは特別な密封機器は必要ない。更なる実施例において、下部部分は２つの材料、つまり熱可塑性樹脂（例えば、ＰＰまたはＰＥ）と、熱可塑性エラストマ（例えば、Ｓａｎｔｏｐｒｅｎｅ）から構成される。
【００４７】
本発明の使用法の特別な実施例においては、フリップトップクロージャが取り付けられた上部部分が、フィルム製品の製造業者に供給される。別の実施例において、上部部分はまた、フィルム製造業者に渡す前に上部部分内に予め組み込まれた乾燥剤混入プラスチック構成要素を含んでもよい。下部部分は、フィルム製品の製造業者に供給される材料から作られる。例えば、第１材料は熱可塑性エラストマ（例えば、ＰＥまたはＰＰ）であり、第２材料は熱可塑性エラストマ（例えば、ＴＰＥ）である。このように、熱可塑性エラストマは、下部部分の周囲（密封表面）に沿うガスケットを形成する。
【００４８】
本発明の使用法の特別な実施例において、下部部分はアセンブリライン上に設置される。１つの実施例において、フィルムは切断され、積み重ねられ、下部部分上に設置される。充填後は、上部部分は充填された下部部分上に設置されて揃えられる。上部部分は下部部分上にパチンと嵌められ、防湿容器が生成される。防湿密封は上部および下部部分上のＴＰＥガスケットの間に生成される。
【００４９】
ここで使用されているように、「防湿」と「嫌湿性」いう用語は、容器への湿気の侵入が（３日後）、約１５００マイクログラム未満の水であり、好ましくは、約７５０マイクログラム未満の水であり、更に好ましくは、約３５０マイクログラム未満の水であり、下記のテスト方法により決定された。（ａ）１グラム±０.２５グラムの分子ふるいを容器に設置して重量を記録し、（ｂ）容器を完全に閉めて、（ｃ）閉じた容器を、相対湿度８０％、温度２２℃の条件の環境室に置き、（ｃ）１日後、分子ふるいを含む容器の重量を計り、（ｄ）４日後に、分子ふるいを含む容器の重量を計り、（ｅ）第１日目のサンプルを、第４日目のサンプルから減算して、容器への湿気の侵入を水のマイクログラムの単位で計算する。
【図面の簡単な説明】
【００５０】
【図１】図１は、本発明の容器の１つの実施の形態の透視図である。
【図２】図２は、本発明の容器の１つの実施の形態の断面図である。
【図３】図３は、本発明の容器の１つの実施の形態におけるリップシールの側面図である。
【図４】図４は、本発明の容器の１つの実施の形態における別のリップシールの側面図である。
【図５】図５は、本発明の容器の１つの実施の形態の上面図である。
【図６】図６は、本発明の容器の１つの実施の形態の分解図である。
【図７】図７は、本発明の容器の１つの実施の形態の断面図である。
【図７Ａ】図７Ａは、図７の実施の形態に示された特徴の透視図である。
【図８】図８は、アイテム（物品）が容器から取り出されるときの、本発明の容器の１つの実施の形態の透視図である。
【図９】図９は、閉じた位置での、本発明の容器の１つの実施の形態の透視図である。
【図１０】図１０は、本発明の容器の別の実施の形態の断面図である。
【図１１】図１１は、図１０の実施の形態の特徴を示す透視図である。
【図１２Ａ】図１２Ａは、本発明の更に別の実施の形態の図を示している。
【図１２Ｂ】図１２Ｂは、本発明の更に別の実施の形態の図を示している。
【図１２Ｃ】図１２Ｃは、本発明の更に別の実施の形態の図を示している。
【図１２Ｄ】図１２Ｄは、本発明の更に別の実施の形態の図を示している。
【図１２Ｅ】図１２Ｅは、本発明の更に別の実施の形態の図を示している。
【図１２Ｆ】図１２Ｆは、本発明の更に別の実施の形態の図を示している。
【図１２Ｇ】図１２Ｇは、本発明の更に別の実施の形態の図を示している。
【図１２Ｈ】図１２Ｈは、本発明の更に別の実施の形態の図を示している。
【図１２Ｉ】図１２Ｉは、本発明の更に別の実施の形態の図を示している。
【図１２Ｊ】図１２Ｊは、本発明の更に別の実施の形態の図を示している。
【図１２Ｋ】図１２Ｋは、本発明の更に別の実施の形態の図を示している。
【図１２Ｌ】図１２Ｌは、本発明の更に別の実施の形態の図を示している。
【図１２Ｍ】図１２Ｍは、本発明の更に別の実施の形態の図を示している。
【図１２Ｎ】図１２Ｎは、本発明の更に別の実施の形態の図を示している。
【図１３Ａ】図１３Ａは、本発明の更に別の実施の形態の図を示している。
【図１３Ｂ】図１３Ｂは、本発明の更に別の実施の形態の図を示している。
【図１３Ｃ】図１３Ｃは、本発明の更に別の実施の形態の図を示している。
【図１３Ｄ】図１３Ｄは、本発明の更に別の実施の形態の図を示している。
【図１３Ｅ】図１３Ｅは、本発明の更に別の実施の形態の図を示している。
【図１４】図１４は、容器の下部部分が、バリアフィルムで密封できる周囲を有する、本発明の１つの実施の形態の透視図である。
【図１５】図１５は、容器の下部部分が、バリアフィルムで密封できる周囲を有する、本発明の１つの実施の形態の透視図である。
【図１６】図１６は、容器の下部部分が、バリアフィルムで密封できる周囲を有する、本発明の１つの実施の形態の透視図である。
【図１７】図１７は、機械的締り嵌めフィットを例示している、本発明の１つの実施の形態の側面透視図である。
【図１８】図１８は、図１７の機械的締り嵌めフィットの拡大図である。
【図１９】図１９は、エラストマシールが上部および下部部分の間に組み込まれて防湿密封性を形成する、本発明の１つの実施の形態の透視図である。
【図１】
2008516864.tif 000003
【図２】
2008516864.tif 000004
【図３】
2008516864.tif 000005
【図４】
2008516864.tif 000006
【図５】
2008516864.tif 000007
【図６】
2008516864.tif 000008
【図７】
2008516864.tif 000009
【図７Ａ】
2008516864.tif 000010
【図８】
2008516864.tif 000011
【図９】
2008516864.tif 000012
【図１０】
2008516864.tif 000013
【図１１】
2008516864.tif 000014
【図１２Ａ】
2008516864.tif 000015
【図１２Ｂ】
2008516864.tif 000016
【図１２Ｃ】
2008516864.tif 000017
【図１２Ｄ】
2008516864.tif 000018
【図１２Ｅ】
2008516864.tif 000019
【図１２Ｆ】
2008516864.tif 000020
【図１２Ｇ】
2008516864.tif 000021
【図１２Ｈ】
2008516864.tif 000022
【図１２Ｉ】
2008516864.tif 000023
【図１２Ｊ】
2008516864.tif 000024
【図１２Ｋ】
2008516864.tif 000025
【図１２Ｌ】
2008516864.tif 000026
【図１２Ｍ】
2008516864.tif 000027
【図１２Ｎ】
2008516864.tif 000028
【図１３Ａ】
2008516864.tif 000029
【図１３Ｂ】
2008516864.tif 000030
【図１３Ｃ】
2008516864.tif 000031
【図１３Ｄ】
2008516864.tif 000032
【図１３Ｅ】
2008516864.tif 000033
【図１４】
2008516864.tif 000034
【図１５】
2008516864.tif 000035
【図１６】
2008516864.tif 000036
【図１７】
2008516864.tif 000037
【図１８】
2008516864.tif 000038
【図１９】
2008516864.tif 000039
【国際調査報告】
2008516864.tif 000040